(57)【特許請求の範囲】
【請求項１】
上下方向に積み重ねられた電子機器間の電気接続装置であって、
電気回路を内蔵する電子機器のエンクロージャの一方の側面に支点と作用点を持ち、前記電子機器の前面側を力点とする回動レバーと、
前記側面に設けられ、前記回動レバーの作用点と支点を、前記エンクロージャの前後方向にある動作位置と非動作位置にそれぞれ移動させる第１と第２の水平ガイドと、
前記側面に設けられ、前記回動レバーの動作位置において前記回動レバーの作用点を上方向に移動させる垂直ガイドと、
前記垂直ガイドに沿って昇降可能に配置され、前記回動レバーが動作位置に移動させられた時に前記回動レバーの作用点に係合する昇降部材と、
前記昇降部材の上側に取り付けられると共に前記電子機器の内部回路に接続し、前記回動レバーの水平位置からの回動時に上昇して前記エンクロージャの上面から突出する雄型コネクタと、
前記エンクロージャの底面に接合部が露出して設けられると共に前記電子機器の内部回路に接続し、直下に位置する電子機器のエンクロージャから突出した雄型コネクタと結合する雌型コネクタとから構成されることを特徴とする電子機器間の電気接続装置。
【請求項２】
前記第１と第２の水平ガイドと垂直ガイドが、第１と第２の水平溝と垂直溝であり、
前記回動レバーの作用点には前記第１の水平溝と前記垂直溝内を移動可能な第１のピンが突設されており、
前記回動レバーの支点には前記第２の水平溝内を移動可能な第２のピンが突設されており、
前記昇降部材が、第１の昇降部材と、前記雄型コネクタが取り付けられると共に前記第１の昇降部材に隣接する第２の昇降部材とから構成され、
前記第１の昇降部材の上端部と前記第２の昇降部材の下端部には、前記回動レバーの動作位置において前記第１のピンに係合する凹部が設けられており、
前記回動レバーが非動作位置にある時には、前記第１の昇降部材は前記垂直溝内を自在に昇降可能であり、
前記電子機器と同じ構成の電子機器が直下に配置された時に、前記第１の昇降部材の下側の端面は、直下に位置する前記電子機器の第２の昇降部材の上側の端面に対向するように配置されていることを特徴とする請求項１に記載の電子機器間の電気接続装置。
【請求項３】
前記内部回路が、前記電子機器の横方向に起立した状態で配置されたプリント回路基板上に設けられており、前記プリント回路基板と前記雄型コネクタとは予長を有するフレキシブルケーブルで接続されていることを特徴とする請求項１又は２に記載の電子機器間の電気接続装置。
【請求項４】
前記回動レバーの支点が前記電子機器の背面側にあり、前記作用点が前記支点と前記力点の間の位置にあることを特徴とする請求項１から３の何れか１項に記載の電子機器間の電気接続装置。
【請求項５】
前記垂直溝の前記回動レバーの回動終了地点に、前記回動レバーの作用点をその位置で固定するロック溝が設けられていることを特徴とする請求項２に記載の電子機器間の電気接続装置。
【発明の詳細な説明】
【技術分野】
【０００１】
本出願は電子機器間の電気接続装置に関する。以下に説明される実施の形態では、実施例として、縦方向に重ねて設置された電子機器の内部回路を相互に接続する電子機器間の電気接続装置が説明される。
【背景技術】
【０００２】
従来、情報端末としての電子機器、例えば複数のハードディスク装置を搭載するディスクアレイ装置やサーバは、主としてシステムラックに縦方向に複数台が搭載されて使用される。また、システムラック内に縦方向に積み重ねられた電子機器の内部回路は、多くの場合、相互に電気的に接続されて使用される。そして、電子機器同士を接続する場合は、電子機器のエンクロージャの前面、或いは背面に実装されたコネクタ同士がケーブルで接続される（特許文献１の図７参照）ことが多い。また、電子機器の上面と底面の同じ位置に凹型コネクタと凸型コネクタとを設け、電子機器同士を積み重ねた時に凹型コネクタと凸型コネクタとを結合させる構成もある（特許文献１の図１２、図１４、特許文献２の図１〜図６参照）。
【０００３】
一方、システムラックの縦方向に積み重ねられた電子機器同士を、エンクロージャの前面、或いは背面に実装されたコネクタを利用してケーブルで接続する場合、接続ケーブルは最短接続長さよりも長くする。これは、ケーブルの曲げ半径や取り回し性能を考慮すると、接続ケーブルにはコネクタに対する抜き差しのために、ある程度の余裕長さ（予長）を持たせなければならないからである。
【０００４】
また、電子機器のエンクロージャの上面と底面の同じ位置に雌雄のコネクタをそれぞれ設け、電子機器同士を積み重ねた時に雌型コネクタと雄型コネクタとを結合させる構成では、最上段の上面、または最下段の底面から雄型コネクタが突出する。このため、最上段又は最下段の電子機器のエンクロージャは、中間段のエンクロージャと構造を変えて、最上段の上面又は最下段の底面から雄型コネクタが突出しないようにしている。
【先行技術文献】
【特許文献】
【０００５】
【特許文献１】特開平８−２２１１５４号公報（図７、図１４）
【０００６】
【特許文献２】特開平６−１９５１５３号公報（図１〜図６）
【発明の概要】
【発明が解決しようとする課題】
【０００７】
ところが、縦方向に積み重ねられた電子機器の内部回路をケーブルで接続する場合、積み重ねる電子機器の数が増えると接続ケーブル数も増え、電子機器間の信号の伝送距離が長くなって、電圧の低下、ノイズの混入などの点で性能面で不利になる。また、電子機器の高密度実装化に伴い、エンクロージャ内に多くの冷却風を取り入れる必要が生じており、エンクロージャの前面、或いは背面に接続ケーブルが配線されると、ケーブルが冷却風の流れを阻害するので冷却能力が低下するという問題もある。
【０００８】
これに対して、縦方向に積み重ねられた電子機器間の回路を雌雄のコネクタで直接結合させる場合は、最上段のエンクロージャの上面、または最下段のエンクロージャの底面から雄型コネクタが突出しないようにエンクロージャの構造を変える必要がある。更に、縦方向に積み重ねられた電子機器間の回路がコネクタによって全て接続されてしまい、中間段のエンクロージャ内の回路の接続を行わないようにすることもできなかった。
【０００９】
本出願は、システムラック内に電子機器を縦方向に搭載して、電子機器同士を相互に接続する場合でも、簡単な操作で電子機器同士を電気的にスムーズに接続することが可能であり、装置構造を変更することなく最上段の電子機器のエンクロージャの上面からコネクタが突出せず、更に、縦方向に積み重ねられた電子ききの中間段の電子機器をその上段の電子機器と電気的に接続しないようにすることが可能な電子機器間の電気接続装置を提供することを目的とする。
【課題を解決するための手段】
【００１０】
前記目的を達成する本出願の電子機器間の電気接続装置は、上下方向に積み重ねられた電子機器間の電気接続装置であって、電気回路を内蔵する電子機器のエンクロージャの一方の側面に支点と作用点を持ち、電子機器の前面側を力点とする回動レバーと、側面に設けられ、回動レバーの作用点と支点を、エンクロージャの前後方向にある動作位置と非動作位置にそれぞれ移動させる第１と第２の水平ガイドと、側面に設けられ、回動レバーの動作位置において回動レバーの作用点を上方向に移動させる垂直ガイドと、垂直ガイドに沿って昇降可能に配置され、回動レバーが動作位置に移動させられた時に回動レバーの作用点に係合する昇降部材と、昇降部材の上側に取り付けられると共に電子機器の内部回路に接続し、回動レバーの水平位置からの回動時に上昇してエンクロージャの上面から突出する雄型コネクタと、エンクロージャの底面に接合部が露出して設けられると共に電子機器の内部回路に接続し、直下に位置する電子機器のエンクロージャから突出した雄型コネクタと結合する雌型コネクタとから構成されることを特徴としている。
【発明の効果】
【００１１】
本出願の電子機器間の電気接続装置によれば、エンクロージャ側面に設けた回動レバーを引き出して回動させれば、エンクロージャ側面に近い底面側と上面側の上下方向に重なる位置にそれぞれ設けられた雌雄のコネクタの一方が上下方向に移動して結合する。この結果、ケーブルレスで上下方向の電子機器同士を電気的に接続することができる。また、最上段の電子機器の回動レバーは引き出さない状態にしておけば、最上段の雄型コネクタがエンクロージャから突出せず、最上段のエンクロージャの上面が平坦面を保つ。更に、最上段の電子機器の回動レバーを引き出さない状態にしておけば、この中間段の電子機器とその上段の電子機器とが電気的に接続しないようにすることができる。
【図面の簡単な説明】
【００１２】
【図１】電子機器を収容するシステムラックを示す斜視図である。
【図２】（ａ）は図１に示したシステムラックに収容される本出願の第１の形態の電気接続装置を備えた電子機器の一実施例の外観を示す斜視図、（ｂ）は（ａ）に示した電子機器の分解斜視図である。
【図３】（ａ）は図２（ａ）に示した電子機器から上側エンクロージャを取り外した状態を示す平面図、（ｂ）は図２（ｂ）に示した電気接続装置の全体構成を詳細に示す斜視図である。
【図４】図３（ｂ）に示した電気接続装置の内部構成を示す分解斜視図である。
【図５】（ａ）は図２（ｂ）に示した雌雄のコネクタの電子機器との接続を、他の構成部材を取り除いて電子機器の背面側から見た斜視図、（ｂ）は（ａ）に示した雌雄のコネクタの電子機器との接続を模式的に示す図、（ｃ）は（ｂ）に示した雄コネクタの雌コネクタとの接続動作を示す図である。
【図６】（ａ）は本出願の電気接続装置の「状態１」を示す側面図、（ｂ）は本出願の電気接続装置の「状態２」を示す側面図、（ｃ）は本出願の電気接続装置の「状態３」を示す側面図、（ｄ）は本出願の電気接続装置の「状態４」を示す側面図である。
【図７】（ａ）は本出願の電気接続装置の図６（ａ）、（ｂ）に示した「状態１」と「状態２」における回動レバーと昇降部材との接続関係を電子機器の正面側からみた部分拡大図、（ｂ）は図６（ｃ）に示した「状態３」における回動レバーと昇降部材との接続関係を電子機器の正面側からみた部分拡大図、（ｃ）は図６（ａ）に示した「状態１」の電子機器の下側に図６（ｃ）に示した「状態３」の電子機器がある場合の、図６（ａ）に示した電子機器における回動レバーと昇降部材との接続関係を電子機器の正面側からみた部分拡大図である。
【図８】（ａ）は図６（ｂ）に示した回動レバーと第１と第２の昇降部材との係合関係を示す部分拡大図、（ｂ）は図６（ａ）に示した回動レバーと第１と第２の昇降部材との係合関係を示す部分拡大図、（ｃ）は図６（ｃ）に示した回動レバーと第１と第２の昇降部材との係合関係を示す部分拡大図、（ｄ）は図６（ｄ）に示した回動レバーと第１と第２の昇降部材との係合関係を示す部分拡大図である。
【図９】３台の電子機器を積み重ねた場合の電子機器間の電気接続手順を示すものであり、（ａ）は「状態１」の３台の電子機器を積み重ねた状態を示す側面図、（ｂ）は（ａ）の状態から真ん中の電子機器の回動レバーのみを引き出して「状態２」にした状態を示す側面図、（ｃ）は（ｂ）の状態から最下段の電子機器の回動レバーを引き出して「状態３」にした時の最上段と真ん中の電子機器の状態を示す側面図、（ｄ）は（ｃ）の状態から最下段の回動レバーを押し込んで「状態４」にした状態を示す側面図である。
【図１０】（ａ）は図９（ｄ）に示した３段重ねの電子機器の上に更に１台の電子機器を積み重ねて電気的に接続する場合を示す側面図、（ｂ）は（ａ）に示した最下段の電子機器の回動レバーを「状態４」から「状態３」に戻した状態を示す側面図である。
【図１１】（ａ）は図１０（ｂ）に示した３台の電子機器のレバーを全て「状態２」に戻した状態を示す側面図、（ｂ）は（ａ）に示した３段重ねの電子機器の上にもう１台の「状態２」の電子機器を積み重ねた状態を示す側面図である。
【図１２】（ａ）は図１１（ｄ）に示した４段重ねの電子機器の最上段の電子機器のレバーを「状態１」に戻した状態を示す側面図、（ｂ）は（ａ）の状態から最下段の電子機器のレバーを引き出して「状態３」にした場合の、その上の３台の電子機器の状態を示す側面図である。
【図１３】（ａ）は本出願の第１の形態の電気接続装置における回動レバーの支点、力点、作用点を説明する図、（ｂ）は電子機器に取り付けた本出願の第２の形態の電気接続装置における回動レバーの支点、力点、作用点を説明する側面図、（ｃ）は（ｂ）の状態から回動レバーを操作して電気接続装置を動作させた状態を示す側面図である。
【図１４】本出願の第２の形態の電気接続装置を取り付ける電子機器の一実施例の構成を示す組立斜視図である。
【図１５】（ａ）は回動レバーの別の形態を示す斜視図、（ｂ）は（ａ）の回動レバーに対応させた内側プレートの構成を示す断面図である。
【発明を実施するための形態】
【００１３】
以下、添付図面を用いて本出願の実施の形態を、具体的な実施例に基づいて詳細に説明する。
【００１４】
図１は電子機器１を収容するシステムラック１００を示すものである。システムラック１００には複数台の電子機器１、例えば、複数台のハードディスク装置を収容するラックマウント型のディスクアレイ装置１が縦方向に積み重ねられて搭載される。そして、システムラック１００では、搭載された電子機器１同士がケーブル等の電気接続部材によって接続される。
【００１５】
図２（ａ）は、図１に示したシステムラック１００に収容される本出願の第１の形態の電気接続装置１０を備えた電子機器１の一実施例の外観を示すものであり、図２（ｂ）は図２（ａ）に示した電子機器１を分解してその内部構成を示すものである。また、図３（ａ）は図２（ａ）に示した電子機器１から上側エンクロージャ４を取り外した状態を示すものであり、図３（ｂ）は図２（ｂ）に示した電気接続装置１０の全体形状を示すものである。この実施例の電子機器１は、下側エンクロージャ３と上側エンクロージャ４の間に、複数のハードディスク装置２、バックプレーン５、電源ユニット６、制御ユニット７及び雄型コネクタ２１と雌型コネクタ２２とを備えて構成される。
【００１６】
バックプレーン５は下側エンクロージャ３の上に、幅方向にかつ下側エンクロージャ３に対して垂直に取り付けられる。バックプレーン５の前面側には複数のハードディスク装置２を実装するためのコネクタ５Ｈがある。また、後に詳述するのでここでは図示を省略してあるが、下側エンクロージャ３の上に取り付けられる雌型コネクタ２２と上側エンクロージャ４に設けられた開口部４Ａから出没可能な雄型コネクタ２１は、共にバックプレーン５に接続される。
【００１７】
電気接続装置１０は、内側プレート１２、外側プレート１３、内側プレート１２と外側プレート１３に挟まれたスペースＳ内を回動し、昇降部材１５を上下動させる回動レバー１１を備えて構成される。また、昇降部材１５には前述の雄型コネクタ２１が取り付けられており、昇降部材１５が上下動すると、これに合わせて雄型コネクタ２１が上下動する。回動レバー１１の先端部１１Ｃは電気接続装置１０の前面側から突出しており、回動レバー１１の先端部１１Ｃを前面側から操作することにより、昇降部材１５を介して雄型コネクタ２１を上下動させることができる。
【００１８】
ここで、内側プレート１２と外側プレート１３に挟まれたスペースＳ内における本実施例の電気接続装置１０の構成を図４を用いて説明する。まず、回動レバー１１の構成について説明する。回動レバー１１は、この実施例では電子機器の背面側が支点、前面側が力点となっており、中間部分が作用点となっている。このため、支点に対応する部分の回動レバー１１の両側面にはピン１１Ｂが突設されており、作用点に対応する部分の回動レバー１１にはピン１１Ａが突設されている。ピン１１Ｂの内側プレート１２側の高さと、外側プレート１３側の高さは同じである。一方、ピン１１Ａは、外側プレート１３側の高さはピン１１Ｂと同じであるが、内側プレート１２側の高さはこれよりも高くなっており、回動プレート１１の内側プレート１２側に配置される第１の昇降部材１４と第２の昇降部材１５に係合する長さを備えている。
【００１９】
一方、内側プレート１２には、回動レバー１１に対向する側の面に、回動レバー１１のピン１１Ａとピン１２Ｂとを水平方向に移動させることができる水平ガイドとして、第１の水平溝１２Ａと第２の水平溝１２Ｂが設けられている。更にこの面には、第１の水平溝１２Ａに接続する垂直溝１２Ｃが垂直ガイドとして設けられている。第１の水平溝１２Ａはピン１１Ａの長さに合わせて深く形成されているが、第２の水平溝１２Ｂはピン１１Ｂの長さに合わせて浅く形成されている。垂直溝１２Ｃはその上下部分が内側プレート１２の反対側の面まで連通しており、この垂直溝１２Ｃには、第１の昇降部材１４と第２の昇降部材１５が挿入される。また、垂直溝１２Ｃ内にはピン１１Ａの移動を止めるロック溝１２Ｄが設けられている。
【００２０】
第１の昇降部材１４は板状の部材であり、上部にピン１１Ａを挿入するためのピン挿通溝１４Ａがあり、下部はテーパ部１４Ｂによって回動レバー１１と反対側に膨出され、底面１４Ｃの面積が拡大されている。第１の昇降部材１４の底面１４Ｃは、後述する第２の昇降部材１５から押圧力を受ける受圧面となっている。そして、この受圧面１４Ｃが内側プレート１２の底面と面一状態にある時に、ピン挿通溝１４Ａの開口部が第１の水平溝１２Ａの垂直溝１２Ｃ側の開口部に重なる。
【００２１】
第２の昇降部材１５も板状の部材であり、下部にピン１１Ａを挿入するためのピン挿通溝１５Ａがあり、上部はテーパ部１５Ｂによって回動レバー１１側に膨出されて頂面１５Ｃの面積が拡大されている。また、テーパ部１５Ｂの反対側の面には前述の雄型コネクタ２１を取り付けるための突起部１５Ｄがある。第２の昇降部材１５の頂面１５Ｃは、この上に同じ構成の別の電気接続装置が配置された時に、上部の電気接続装置にある第１の昇降部材の受圧面に押圧力を与える押圧面となっている。そして、第２の昇降部材１５が垂直溝１２Ｃ内に挿入されて、この押圧面１５Ｃが内側プレート１２の頂面と面一状態である時に、ピン挿通溝１５Ａの開口部が第１の水平溝１２Ａの垂直溝１２Ｃ側の開口部に重なる。即ち、第１の昇降部材１４と第２の昇降部材１５は、ピン挿通溝１４Ａとピン挿通溝１５Ａが水平方向に一致した状態で隣接して垂直溝１２Ｃ内に挿入される。
【００２２】
内側プレート１２に重ね合わされる外側プレート１３には、回動レバー１１に対向する側の面に、回動レバー１１のピン１１Ａとピン１２Ｂとを水平方向に移動させることができる第１の水平溝１３Ａと第２の水平溝１３Ｂが設けられている。更にこの面には、第１の水平溝１３Ａに接続する垂直溝１３Ｃが設けられている。第１の水平溝１３Ａと第２の水平溝１３Ｂは、ピン１１Ａとピン１１Ｂの長さに合わせて浅く形成されている。垂直溝１３Ｃは第１の水平溝１３Ａより上の部分に設けられており、下端部が第１の水平溝１３Ａの端部と連通する。この垂直溝１３Ｃには、ピン１１Ａが挿入されると共に、ピン１１Ａの移動を止めるロック溝１３Ｄが設けられている。
【００２３】
第１の水平溝１３Ａ、第２の水平溝１３Ｂ及びロック溝１３Ｄの位置は、内側プレート１２に外側プレート１３が重ね合わされた時に、内側プレート１２の第１の水平溝１２Ａ、第２の水平溝１２Ｂ及びロック溝１２Ｄとちょうど向かい合う位置である。垂直溝１２Ｃに第１と第２の昇降部材１４、１５を挿入し、第１の水平溝１２Ａ、１３Ａと第２の水平溝１２Ｂ、１３Ｂに回動レバー１１のピン１１Ａ、１１Ｂをそれぞれ挿入して内側プレート１２に外側プレート１３が重ね合わせると図３（ｂ）の状態になる。この状態では、回動レバー１１を最も奥まで押し込んでも、回動レバー１１の先端部１１Ｃが内側プレート１２と外側プレート１３の前端面よりも外側に突出する。
【００２４】
図４で説明したように、回動レバー１１のピン１１Ａ、１１Ｂがそれぞれ第１の水平溝１２Ａ、１３Ａと第２の水平溝１２Ｂ、１３Ｂに挿入されている状態では、回動レバー１１のピン１１Ａ、１１Ｂは第１と第２の昇降部材１４、１５に係合しない。この状態では、回動レバー１１は電気接続装置１０の前後方向には移動できても、上下方向には移動できない、即ち、回動できず、第１の昇降部材１４は第２の昇降部材１５に対してテーパ部１５Ｂに当接するまでの範囲で自由に上下動可能である。
【００２５】
図５（ａ）は、図２（ｂ）に示した雌雄のコネクタ２２、２１の、電子機器１との接続を他の構成部材を取り除いて電子機器１の背面側から見たものである。また、図５（ｂ）は図５（ａ）に示した雌雄のコネクタ２２，２１の電子機器との接続を模式的に示したものである。３は下側エンクロージャ、４は上側エンクロージャ、５はバックプレーン、１２は内側プレート、１３は外側プレートである。雄型コネクタ２１は、図４で説明したように第２の昇降部材に取り付けられており、上側エンクロージャ４の開口部４Ａの直下に位置している。また、雄型コネクタ２１はフレキシブルケーブル（ＦＰＣ）２３によって、バックプレーン５の上に実装されたＦＰＣコネクタ２５に接続している。ＦＰＣ２３の長さは、雄型コネクタ２１が上方に移動してもＦＰＣ２３に張力がかからないように、予長（遊び）を有する長さになっている。
【００２６】
一方、雌型コネクタ２２は、バックプレーン５の上に固定されており、ＦＰＣ２４によってバックプレーン５の上に実装されたＦＰＣコネクタ２６に接続している。なお、下側エンクロージャ３の雌型コネクタ２２の直下の部分には、図５（ｂ）に示すように開口部３Ａがあり、雌型コネクタ２２の雄型コネクタと結合する受入部が下側エンクロージャ３の底面から露出している。また、雌型コネクタ２２はバックプレーン５以外の別の基板に取り付けられても良く、下側エンクロージャ３に直接固定されていても良い。そして、雌型コネクタ２２がバックプレーン５の上に固定される場合は、雌型コネクタ２２にバックプレーン５の上の回路と接続する端子を設けておけば、ＦＰＣ２４とＦＰＣコネクタ２６は設けなくても良い。
【００２７】
図４で説明したように、回動レバー１１のピン１１Ａ、１１Ｂを、第１の水平溝１２Ａ、１３Ａと第２の水平溝１２Ｂ、１３Ｂに沿って移動させ、回動レバー１１を手前に引き出すと、回動レバー１１のピン１１Ａが第１と第２の昇降部材１４、１５に係合する。即ち、回動レバー１１のピン１１Ａが、第１の昇降部材１４のピン挿通溝１４Ａと第２の昇降部材１５のピン挿通溝１５Ａとに同時に挿入され、第１の昇降部材１４と第２の昇降部材１５とがピン１１Ａを介して連結される。この状態で、回動レバー１１の先端部１１Ｃを上方に引き上げれば、ピン１１Ｂを支点として回動レバー１１が回転し、ピン１１Ａによって第１の昇降部材１４と第２の昇降部材１５とが垂直溝１２Ｃ内で上方に移動するので、雄型コネクタ２１が上方に移動する。
【００２８】
図５（ｃ）は回動レバー１１の上方への回動により、雄型コネクタ２１が上方に移動した状態を示すものである。図５（ｃ）に示すように、電子機器１が積み重ねられている場合には、雄型コネクタ２１が上側エンクロージャ４の開口部４Ａから突出し、上側にある電子機器１の雌型コネクタ２２に結合する。この結果、積み重ねられた電子機器１のバックプレーン５にある回路同士が接続される。
【００２９】
ここで、図６（ａ）から図６（ｄ）、図７（ａ）から図７（ｃ）、及び図８（ａ）から図８（ｄ）を用いて、本出願の電気接続装置の回動レバー１１と第１と第２の昇降部材１４，１５の４つの状態を説明する。図６は電気接続装置１０を側面から見たもの、図７は回動レバー１１と第１と第２の昇降部材１４，１５との結合関係を電子機器の正面側から見たもの、図８は回動レバー１１のピン１１Ａと第１と第２の昇降部材１４，１５との結合関係を示すものである。なお、図６にはピン１１Ａ，１１Ｂ、第１の水平溝１２Ａ，１３Ａ、第２の水平溝１２Ｂ，１３Ｂ、及びロック溝１２Ｄは全て実線で示してある。また、図７には電子機器が積み重ねられた状態が示されており、下側に配置された電子機器の電気接続装置における第２の昇降部材１５の上部のみが示されている。更に、回動レバー１１のピン１１Ａは長円柱状をしている。
【００３０】
図６（ａ）に示す「状態１」は、回動レバー１１が電気接続装置１０の奥側に押し込まれた状態である。図７（ａ）がこの時の回動レバー１１と第１と第２の昇降部材１４，１５との結合関係を示しており、図８（ｂ）がこの時の回動レバー１１のピン１１Ａと第１と第２の昇降部材１４，１５との結合関係を示している。「状態１」では、第１と第２の昇降部材１４，１５は結合していない。よって、第１の昇降部材１４は第２の昇降部材１５に対して移動することができる。
【００３１】
図６（ｂ）に示す「状態２」は、回動レバー１１を電気接続装置１０から最大限に引き出した状態である。図７（ａ）がこの時の回動レバー１１と第１と第２の昇降部材１４，１５との結合関係を示しており、図８（ａ）がこの時の回動レバー１１のピン１１Ａと第１と第２の昇降部材１４，１５との結合関係を示している。「状態２」では、第１の昇降部材１４のピン挿通溝１４Ａと第２のピン挿通溝１５Ａに回動レバー１１のピン１１Ａが挿入されている。よって、第１の昇降部材１４と第２の昇降部材１５とは、回動レバー１１のピン１１Ａによって連結された状態にある。
【００３２】
図６（ｃ）に示す「状態３」は、「状態２」における回動レバー１１の先端部１１Ｃが電気接続装置１０に対して引き上げられた状態である。回動レバー１１はピン１１Ｂを支点として回動する。図７（ｂ）がこの時の回動レバー１１と第１と第２の昇降部材１４，１５との結合関係を示しており、図８（ｃ）がこの時の回動レバー１１のピン１１Ａと第１と第２の昇降部材１４，１５との結合関係を示している。「状態３」では、「状態２」において第１の昇降部材１４と第２の昇降部材１５とが回動レバー１１のピン１１Ａで連結されているので、回動レバー１１が上方に回動すると、第１の昇降部材１４と第２の昇降部材１５は共に上方に移動している。
【００３３】
図６（ｄ）に示す「状態４」は、「状態３」における回動レバー１１の先端部１１Ｃが電気接続装置１０に対して押し込まれた状態である。「状態３」において回動レバー１１が押し込まれると、長円柱状のピン１１Ａの凡そ半分の部分がロック溝１２Ｄ、１３Ｄに挿入される。図７（ｂ）がこの時の回動レバー１１と第１と第２の昇降部材１４，１５との結合関係を示しており、図８（ｄ）がこの時の回動レバー１１のピン１１Ａと第１と第２の昇降部材１４，１５との結合関係を示している。「状態４」では、長円柱状のピン１１Ａの凡そ半分の部分がロック溝１２Ｄ、１３Ｄに挿入されているので、第１の昇降部材１４と第２の昇降部材１５とはピン１１Ａの残りの半分の部分で連結されている。よって「状態４」では、回動レバー１１と第１と第２の昇降部材１４，１５はこの位置に固定される。
【００３４】
ここで、図６（ｂ）に示した「状態２」の電気接続装置１０を備えた電子機器の上に、「状態１」の電気接続装置１０を備えた電子機器が積み重ねられている場合を考える。そして、「状態２」の状態にあった電子機器が「状態３」に移行したとする。前述のように、「状態３」では電気接続装置１０の上面から第２の昇降部材１５が突出する。これに対して、「状態１」にある電気接続装置１０では、第１の昇降部材１４は第２の昇降部材１５に対して移動することができる。第１の昇降部材１４が第２の昇降部材１５に対して移動した状態が図７（ｃ）に示される。よって、システムラックの最上段に収納した電子機器を「状態１」にしておけば、直下の電子機器が「状態３」になっても、最上段の電子機器の上面から第２の昇降部材及び雄型コネクタが突出することがない。これを電子機器が３台積み重ねられた場合の各電子機器間の電気的接続を例にとって、図９を用いて説明する。
【００３５】
図９（ａ）から図９（ｄ）は、本出願の電気接続装置１０を備えた３台の電子機器１を積み重ねた場合の電子機器１間の電気接続手順を示すものである。電子機器１を３台積み重ねて電子機器１間を電気接続する場合は、図９（ａ）に示すように、「状態１」の３台の電子機器１を積み重ねる。次に、図９（ｂ）に示すように、２段目の電子機器１の電気接続装置１０の回動レバー１１を引き出して「状態２」にする。
【００３６】
この後、図９（ｃ）に示すように、最下段の電子機器１の電気接続装置１０の回動レバー１１を、引き出して「状態２」にした後に上方に回動させて「状態３」にする。この動作により、最下段の電子機器１の電気接続装置１０の第２の昇降部材１５が上昇して２段目の電子機器１の電気接続装置１０の第１の昇降部材１４を押し上げる。この結果、２段目の電子機器１の電気接続装置１０の第１の昇降部材１４に連結する第２の昇降部材１５が上昇し、最上段の電子機器１の電気接続装置１０の第１の昇降部材１４を押し上げる。最上段の電子機器１の電気接続装置１０は「状態１」にあるので、最上段の電子機器１の電気接続装置１０の第２の昇降部材１５は移動しない。
【００３７】
図９（ｃ）の状態は、３台の電子機器１が全て電気接続装置１０によって電気的に接続された状態である。よって、この状態が変動しないように、図９（ｄ）に示すように、最下段の電子機器１の電気接続装置１０の回動レバー１１を押し込み、電気接続装置１０を「状態４」にする。これで、３台の電子機器１が全て電気接続装置１０によって電気的に接続されて固定された状態となる。このように、本出願の電気接続装置１０を用いれば、積み重ねられた電子機器１の間の電気的な接続を、電子機器の前面側から容易に行うことができる。
【００３８】
次に、本出願の電気接続装置１０を備えた複数台の電子機器１が全て電気的に接続されて積み重ねられている時に、更に１台の本出願の電気接続装置１０を備えた電子機器１をその上に積み重ねて電気的に接続する場合について図１０から図１２を用いて説明する。図１０（ａ）は図９（ｄ）に示した３段重ねの電子機器１の上に更に１台の電子機器１を積み重ねて電気的に接続する場合を示すものである。追加する電子機器１は、この実施例では「状態２」になっている。
【００３９】
この場合はまず、図１０（ｂ）に示すように、最下段の電子機器１の回動レバーを引き出して「状態４」から「状態３」にする。次に、図１１（ａ）に示すように、３段に積み重ねられた電子機器１の電気接続装置１０を全て「状態２」にする。次に、３段に積み重ねられた電子機器１の上に、電気接続装置１０が「状態２」の電子機器１を積み重ねる。これで４段全ての電子機器の電気接続装置１０が「状態２」となる。この後、図１２（ａ）に示すように、最上段の電子機器１の電気接続装置１０の回動レバー１１を押し込んで「状態１」にする。そして、最下段の電子機器１の電気接続装置１０の回動レバー１１を上方に回動させれば、図９（ｃ）で示した状態を４台の電子機器で実現できる。最後に際下段の電子機器１の電気接続装置１０の回動レバー１１を押し込んで、電気接続装置１０を「状態４」にする。これで、４台の電子機器１が全て電気接続装置１０によって電気的に接続されて固定された状態となる。
【００４０】
このように、本出願の電気接続装置１０を用いれば、積み重ねられた電子機器１の上に更に電子機器１を追加して、全ての電子機器間の電気的な接続を、電子機器の前面側から容易に行うことができる。なお、多数段に積み重ねられた電子機器の中間段の１台を「状態１」にしておけば、「状態１」にした電子機器の内部回路とその上側の電子機器の内部回路とを接続せずに分離することができる。
【００４１】
以上説明した実施例は、図１３（ａ）に示すように、電気接続装置１０の回動レバー１１の背面側のピン１１Ｂを支点とし、回動レバー１１の中間点に設けたピン１１Ａを作用点とし、回動レバー１１の先端部１１Ｃを力点としていた。一方、これとは異なる第２の形態として、図１３（ｂ）に示すように、回動レバー１１の背面側のピン１１Ａを作用点とし、回動レバー１１の中間点に設けたピン１１Ｂを支点とし、回動レバー１１の先端部１１Ｃを力点とした電気接続装置２０が可能である。第２の形態の電気接続装置２０では、作用点において第２の昇降部材１５を上方に移動させるために、図１３（ｂ）に示すように、回動レバー１１の先端部１１Ｃを先の形態とは反対方向の下方向に回動させる。
【００４２】
第２の形態の電気接続装置２０は、回動レバー１１の上の支点と作用点の位置が第１の形態の電気接続装置１０と逆になっただけであって、構成部材は同じであるので、同じ構成部材には同じ符号を付してその説明を省略する。なお、図１４は第２の形態の電気接続装置２０を備えた電子機器１Ａの具体的な構成を示すものである。ハードディスク装置２Ａが水平方向に長尺である場合には、第２の形態の電気接続装置２０が有効である。
【００４３】
また、以上説明した実施例では、回動レバー１１を内側プレート１２と外側プレート１３で挟んでいたが、図１５（ａ）、（ｂ）に示すように、回動レバー１１のピン１１Ａ，１１Ｂの先端部にフランジ部１１Ｅ，１１Ｆを設けても良い。この場合は、例えば第２の水平溝を貫通溝１２Ｅとし、回動レバー１１の裏面側にフランジ部１１Ｆを収容する凹部１２Ｆを設ければ良い。この場合には、外側プレートの内側の面を平坦面にすることができる。
【００４４】
更に、以上説明した実施例では、雌型コネクタが電子機器内に設けられたバックプレーンに実装されていたが、雌型コネクタの実装位置はバックプレーンに限定されるものではなく、電子機器のエンクロージャの側面に近い部位にあれば良い。更にまた、以上説明した実施例では、電気接続装置を電子器の右側側面に取り付けているが、電気接続装置は電子器の左側側面に取り付けることも可能である。
【００４５】
以上、本出願を特にその好ましい実施の形態を参照して詳細に説明した。本出願の容易な理解のために、本出願の具体的な形態を以下に付記する。
【００４６】
（付記１）  上下方向に積み重ねられた電子機器間の電気接続装置であって、
電気回路を内蔵する電子機器のエンクロージャの一方の側面に支点と作用点を持ち、前記電子機器の前面側を力点とする回動レバーと、
前記側面に設けられ、前記回動レバーの作用点と支点を、前記エンクロージャの前後方向にある動作位置と非動作位置にそれぞれ移動させる第１と第２の水平ガイドと、
前記側面に設けられ、前記回動レバーの動作位置において前記回動レバーの作用点を上方向に移動させる垂直ガイドと、
前記垂直ガイドに沿って昇降可能に配置され、前記回動レバーが動作位置に移動させられた時に前記回動レバーの作用点に係合する昇降部材と、
前記昇降部材の上側に取り付けられると共に前記電子機器の内部回路に接続し、前記回動レバーの水平位置からの回動時に上昇して前記エンクロージャの上面から突出する雄型コネクタと、
前記エンクロージャの底面に接合部が露出して設けられると共に前記電子機器の内部回路に接続し、直下に位置する電子機器のエンクロージャから突出した雄型コネクタと結合する雌型コネクタとから構成されることを特徴とする電子機器間の電気接続装置。
（付記２）  前記水平ガイドと垂直ガイドが溝であり、前記回動レバーの作用点及び支点には前記溝内を移動可能なピンが突設されており、
前記昇降部材が、第１の昇降部材と、前記雄型コネクタが取り付けられると共に前記第１の昇降部材に隣接する第２の昇降部材とから構成され、
前記第１の昇降部材の上端部と前記第２の昇降部材の下端部には、前記回動レバーの動作位置において前記ピンに係合する凹部が設けられており、
前記回動レバーが非動作位置にある時には、前記第１の昇降部材は前記垂直溝内を自在に昇降可能であり、
前記電子機器と同じ構成の電子機器が直下に配置された時に、前記第１の昇降部材の下側の端面は、直下に位置する前記電子機器の第２の昇降部材の上側の端面に対向するように配置されていることを特徴とする付記１に記載の電子機器間の電気接続装置。
（付記３）  前記内部回路が、前記電子機器の横方向に起立した状態で配置されたプリント回路基板上に設けられており、前記プリント回路基板と前記雄型コネクタとは予長を有するフレキシブルケーブルで接続されていることを特徴とする付記１又は２に記載の電子機器間の電気接続装置。
（付記４）  前記内部回路が、前記電子機器内に水平方向に配置されたプリント回路基板上に設けられており、前記プリント回路基板と前記雄型コネクタとは予長を有するフレキシブルケーブルで接続されていることを特徴とする付記１又は２に記載の電子機器間の電気接続装置。
（付記５）  前記回動レバーの支点が前記電子機器の背面側にあり、前記作用点が前記支点と前記力点の間の位置にあることを特徴とする付記１から４の何れかに記載の電子機器間の電気接続装置。
【００４７】
（付記６）  前記回動レバーの作用点が前記電子機器の背面側にあり、前記支点が前記作用点と前記力点の間の位置にあることを特徴とする付記１から４の何れかに記載の電子機器間の電気接続装置。
（付記７）  前記垂直溝の前記回動レバーの回動終了地点に、前記回動レバーの作用点にあるピンをその位置で固定するロック溝が設けられていることを特徴とする付記２から６の何れかに記載の電子機器間の電気接続装置。
（付記８）  前記第１の水平溝に係合する前記ピンの先端部には、前記回動レバーの前記側面からの離脱を防止するためのフランジ部が設けられていることを特徴とする付記７に記載の電子機器間の電気接続装置。
（付記９）  前記エンクロージャの側面の前記回動レバーの外側には、前記回動レバーを保護するカバーが取り付けられていることを特徴とする付記１から８の何れかに記載の電子機器間の電気接続装置。
（付記１０）  前記回動レバーの作用点と支点には、前記回動レバーの両面に同軸のピンが突設されており、前記エンクロージャの側面の前記回動レバーの外側には、前記回動レバーを保護すると共に、前記第１と第２の水平溝及び前記垂直溝に対向して前記ピンを受け入れる溝を備えたカバーが取り付けられていることを特徴とする付記７に記載の電子機器間の電気接続装置。
【００４８】
（付記１１）  前記プリント回路基板が前記電子機器内を前後方向に仕切るバックプレートであり、前記バックプレートの前記電子機器の前面側には、複数のハードディスク装置を接続するための複数のコネクタが実装されており、前記バックプレートの前記電子機器の背面側には、前記ハードディスク装置に対して情報を読み書きする処理装置と電源回路とが接続されていることを特徴とする付記３に記載の電子機器間の電気接続装置。
（付記１２）  前記第１の昇降部材の下側は前記第２の昇降部材側に膨出されて前記下側の端面の面積が拡大されると共に、前記第２の昇降部材の上側は前記第１の昇降部材側に膨出されて前記上側の端面の面積が拡大されていることを特徴とする付記２に記載の電子機器間の電気接続装置。
【符号の説明】
【００４９】
１    電子機器
２    ハードディスク
３    シャーシ
４    カバー
５    バックプレーン
８    エンクロージャ
１０    第１の形態の電気接続装置
１１    回動レバー
１１Ａ、１１Ｂ    ピン
１２    内側プレート
１２Ａ、１３Ａ    第１水平溝、
１２Ｂ，１３Ｂ    第２水平溝
１２Ｃ，１３Ｃ    垂直溝
１２Ｄ，１３Ｄ    ロック溝
１３    外側プレート
１４    第１昇降部材
１４Ａ、１５Ａ、１４Ｂ、１５Ｂ    ピン挿通溝
１４Ｃ    押圧面
１５Ｃ    受圧面
２０    第２の形態の電気接続装置
２１    雄型コネクタ
２２    雌型コネクタ
２３，２４    フレキシブルケーブル（ＦＰＣ）
２５，２６    ＦＰＣコネクタ
【図１】
0005614250.tif 000002
【図２】
0005614250.tif 000003
【図３】
0005614250.tif 000004
【図４】
0005614250.tif 000005
【図５】
0005614250.tif 000006
【図６】
0005614250.tif 000007
【図７】
0005614250.tif 000008
【図８】
0005614250.tif 000009
【図９】
0005614250.tif 000010
【図１０】
0005614250.tif 000011
【図１１】
0005614250.tif 000012
【図１２】
0005614250.tif 000013
【図１３】
0005614250.tif 000014
【図１４】
0005614250.tif 000015
【図１５】
0005614250.tif 000016